(57)【要約】【課題】  従来の安全剃刀はＴ字型安全剃刀が主流をなし、使う人の右利き左利き等個性への配慮並びにひげに対し直角に剃る動きなど、形状と構造において定型化され画一的であり、かつ操作性において限定的であった。【解決手段】  本考案の課題を解決する手段はシェーバー（剃り刃）と柄（把持柄）の中心交差軸連結部を右もしくは左にスライド（移動）させて連結し、さらにシェーバーと柄との交差軸においてシェーバーを正面にして柄に対する取り付角を鈍角とする、さらにシェーバーと柄の交差軸連結部から柄の中心部に向けて湾曲状を呈する形状にしたＬ字型の形状と構造はシェーバーの動きに今までとは異なる利き手による肘を支点に引いて剃る・払って剃る剃り方と複雑な顔の凹凸、そして濃淡・柔剛いずれのひげに対してもシェーバーの滑らかな剃りとスムーズな移動、コントロールを可能にする。【選択図】  図１
0003112436.tif 000002
【実用新案登録請求の範囲】
【請求項１】
本考案はひげ剃り等に好適として広く使用されている安全剃刀に係り、シェーバー（剃り刃）と柄（把持柄）の中心交差軸連結部のうちシェーバーを左もしくは、右にスライド（移動）させた構造をもつことを特徴とするＬ字型安全剃刀。
【請求項２】
同時にシェーバーと柄との交差角において、シェーバーを正面に柄に対する取り付角を鈍角とする構造をもつことを特徴とするＬ字型安全剃刀。
【請求項３】
さらにシェーバーと柄の交差軸連結部から柄の中心部にむけて、湾曲状を呈する形状をもつことを特徴とするＬ字型安全剃刀。
【考案の詳細な説明】
【技術分野】
【０００１】  本考案はシェーバー（剃り刃）と柄（把持柄）とがＴ字状に形成された安全剃刀の改良に関するものである。
【背景技術】
【０００２】  従来のひげ剃りにおける安全剃刀はＴ字型安全剃刀と直線型剃刀がある。その中でもＴ字型安全剃刀が主流をなしており形状と構造において定型化され画一的であり、さらに操作性において限定的であった。【０００３】  また、製作にあたり不特定多数の利用者を対象とするため、標準的な仕様で作られていることから、顔の凹凸、皮膚の硬さ、ひげの柔剛さらに右利き左利きの特性など、使う人の個性への配慮や肘・手首への負担も少なくないなど問題があった。【０００４】  次にＴ字型安全剃刀はひげに対し直角に剃る形状並びに構造（支点を移動させて剃る）であり、ひげに対し横・斜めから払う剃り方の形状並びに構造（支点を固定させて剃る）をもつものはない。唯一、払うように剃る形状と構造をもつ直線型剃刀は切れ味は鋭いが使いやすさと安全性に課題があり日常的ひげ剃りには使用されていないのが実状であった。
【考案の開示】
【考案が解決しようとする課題】
【０００５】  柄からシェーバーへの効率的な力の伝達により，複雑な顔の凹凸、異なる肌質、そして柔剛いずれのひげに対しシェーバーのスムーズな移動、コントロール等容易にする操作性を確保した形状と構造を提案する。【０００６】  また使う人の個性で、特に右利き左利きの特性適応に配慮した形状と構造を提案する。【０００７】  次に剃り方では、ひげに対し直角に引いて剃る構造から、引いて剃る並びに払って剃る剃り方を併用するシェーバーと柄からなる構造を提案する。
【課題を解決するための手段】
【０００８】  本考案の課題を解決するための手段として、まず請求項１記載のものは、シェーバー（剃り刃）と柄（把持柄）の中心交差軸連結部を右もしくは、左にスライド（移動）させて連結する構造にすることを特徴とするＬ字型安全剃刀である。具体的に使う人の個性の中で右利き左利きの特性に適応・特化するもので、利き手による使いやすさと安全性の向上がはかられる。またシェーバー部の先端部・中央部、後部それぞれへの細やかな力の伝達を可能とし、シェーバーの部分的活用が可能になり、複雑な顔の凹凸、そして濃淡・柔剛いずれのひげに対しても、効果的な剃りとスムーズな移動、コントロール等容易にする。【０００９】  請求項２記載の考案は、シェーバーと柄との交差軸において、シェーバーを正面にして柄に対する取り付角を、鈍角とする構造にすることを特徴とするＬ字型安全剃刀である。このように鈍角を有することで、今までひげに対し直角に引いて剃る構造から、シェーバーの動きに今までとは異なる肘を支点に移動し、払って剃る剃り方を併用する構造とした。結果、Ｌ字型でありながら、今まで同様安全性を保ち、滑らかなシェーバーの動きを保持し、濃いひげ・剛いひげ、そりにくい箇所などのひげに、鋭い切れ方を確保する。【００１０】  さらに請求項３記載の考案は、シェーバーと柄の交差軸連結部から柄の中心部に向けて湾曲状を呈する形状にすることを特徴とするＬ字型安全剃刀である。このことは、利き手によって握られるシェーバーの操作性において、肌に触れるシェーバーの好ましい角度を確保し、効果的な剃りとスムーズな移動、コントロール等容易にする直線ではない湾曲状を呈する曲線を設け、操作性に寄与する空間を確保する。結果としてＬ字型安全剃刀の特徴である右利き左利きへの特性適用、効率・効果的なシェーバーへの力の伝達、肘や手首への負担軽減、さらに払って剃る構造を有する鋭い切れ方などへの特性機能を発揮する形状になる。
【考案の効果】
【００１１】  今まで主流をなしているＴ字型安全剃刀と直線型剃刀に、新たにＬ字型の形状と構造を有するＬ字型安全剃刀の考案は利用者の選択の幅を広げる効果。【００１２】  このＬ字型安全剃刀はその形状と構造から右利き左利き専用に特化するもので、右手にもって純角を有するＬ字型剃刀は右利き用、左手にもって純角を有するＬ字型剃刀は左利き専用になる。結果、定型化されたものから、使う人の利き腕に適応し、ひげの個性に配慮した剃刀の提供を可能にする効果。【００１３】  そしてシェーバー（剃り刃）と柄（把持柄）の中心交差軸連結部を左右いずれかにスライド（移動）し取り付角を鈍角とする構造と、シェーバーと柄の交差軸連結部から柄の中心部に向けて湾曲状を呈する形状は、利き手による柄の握りからシェーバーの先端部に力をより効率的に伝達し、スムーズな移動、細部のコントロールを容易にし、肘・手首の負担を緩和する等操作性を高める効果。
【図面の簡単な説明】
【００１４】
【図１】  （ａ）はこの考案に係る安全剃刀の実施形態の正面を示す図面である。ここではシェーバー（剃り刃）と柄（把持柄）の中心交差軸連結部のうちシェーバーを左もしくは右に約５．０ｍｍスライド（移動）させ、なおかつシェーバーと柄との交差角において、シェーバーを正面にして柄に対する取り付角を鈍角、約９７．５度｛望ましい範囲は９０度＋（７．５度±２．５度）以内｝とする構造をもつことを特徴とするＬ字型安全剃刀である。（ｂ）はこの考案に係る安全剃刀の実施形態の側面を示すものであり、シェーバーと柄の交差軸連結部から柄の中心部にむけて湾曲状の形状を示す図面である。
【図２】  本考案に係る安全剃刀の形状を示す類似事例の図面である。（ａ）は本考案のＬ字型安全剃刀である。（ｂ）は最も一般的に普及しているＴ字型剃刀であり（ｃ）（ｄ）（ｅ）はシェーバーと柄に角度を持つ類似の剃刀形状であるが、いずれもその角度は９０度以内の鋭角を有するものとなっている。また（ｆ）は一般的に普及している直線型剃刀である。
【図３】  （ａ）は本考案の特徴である利き手に適合した剃刀による剃り方の特徴で利き手による肘を支点に、払って剃る剃り方を示した図面である。（ｂ）（ｃ）は既存・類似剃刀に見られる、ひげに対し直角に引いて剃る剃り方で、シェーバーとともに肘を平行に移動する事を示す図面である。
【符号の説明】
【００１５】  ａ１  シェーバー（剃り刃）
ａ２  柄（把持柄）
ｂ１  柄の湾曲形状部
【図１】
0003112436.tif 000003
【図２】
0003112436.tif 000004
【図３】
0003112436.tif 000005
【手続補正書】
【提出日】平成17年5月2日(2005.5.2)
【手続補正１】
【補正対象書類名】実用新案登録請求の範囲
【補正対象項目名】請求項２
【補正方法】変更
【補正の内容】
【請求項２】
同時にシェーバーと柄との交差角において、シェーバーを正面に柄に対する取り付角を鈍角とする構造をもつことを特徴とする請求項１に記載のＬ字型安全剃刀。
【手続補正２】
【補正対象書類名】実用新案登録請求の範囲
【補正対象項目名】請求項３
【補正方法】変更
【補正の内容】
【請求項３】
さらにシェーバーと柄の交差軸連結部から柄の中心部にむけて、湾曲状を呈する形状をもつことを特徴とする請求項１に記載のＬ字型安全剃刀。
【手続補正３】
【補正対象書類名】明細書
【補正対象項目名】０００９
【補正方法】変更
【補正の内容】
【０００９】請求項２記載の考案は、シェーバーと柄との交差軸において、シェーバーを正面にして柄に対する取り付角を、鈍角とする構造にすることを特徴とする請求項１に記載のＬ字型安全剃刀である。このように鈍角を有することで、今までひげに対し直角に引いて剃る構造から、シェーバーの動きに今までとは異なる肘を支点に移動し、払って剃る剃り方を併用する構造とした。結果、Ｌ字型でありながら、今まで同様安全性を保ち、滑らかなシェーバーの動きを保持し、濃いひげ・剛いひげ、そりにくい箇所などのひげに、鋭い切れ方を確保する。
【手続補正４】
【補正対象書類名】明細書
【補正対象項目名】００１０
【補正方法】変更
【補正の内容】
【００１０】さらに請求項３記載の考案は、シェーバーと柄の交差軸連結部から柄の中心部に向けて湾曲状を呈する形状にすることを特徴とする請求項１に記載のＬ字型安全剃刀である。このことは、利き手によって握られるシェーバーの操作性において、肌に触れるシェーバーの好ましい角度を確保し、効果的な剃りとスムーズな移動、コントロール等容易にする直線ではない湾曲状を呈する曲線を設け、操作性に寄与する空間を確保する。結果としてＬ字型安全剃刀の特徴である右利き左利きへの特性適用、効率・効果的なシェーバーへの力の伝達、肘や手首への負担軽減、さらに払って剃る構造を有する鋭い切れ方などへの特性機能を発揮する形状になる。